(57)【要約】 【課題】    本発明は、ランプの異常点灯状態を検出できる機能を有する液晶表示装置用バックライト装置を提供することを目的としている。    【解決手段】  反射板と、反射板の表面から所定距離隔てて互いに平行に配列された複数のランプと、反射板の表面に形成されて、各ランプと同数の複数の金属板と、ランプに交流電源が印加される時、金属板に誘起される電圧信号を受信し、正極性の成分を通過させて、各金属板と同数の複数の整流部と、各整流部に各々連結され、該当整流部の出力信号からリップル成分を取り除いて直流電圧を生成する複数の平滑部と、各平滑部から出力される直流電圧に対して論理積演算を行い、その結果をシャット-ダウン信号として出力する論理積素子と、ランプの点灯及び消灯を制御する調光信号を受信して、調光信号の消灯期間中はシャット-ダウン機能が作用しないように制御する調光エラー遮断部を含む。【選択図】      図２
2004191975.tif 000002
【特許請求の範囲】
【請求項１】
反射板と、
前記反射板の表面から所定距離隔てて配列された複数のランプと、
前記ランプから離れた所で前記ランプに流れる電気信号を感知する複数の感知部と、  を含む液晶表示装置用バックライト装置。
【請求項２】
前記ランプは、外部に電極が設けられた構造を有する外部電極型蛍光ランプである請求項１に記載の液晶表示装置用バックライト装置。
【請求項３】
前記各ランプの両端には交流の電圧が印加される請求項１に記載の液晶表示装置用バックライト装置。
【請求項４】
前記各ランプは互いに並列に連結され、各ランプの両端には交流電源が印加される請求項１または請求項３に記載の液晶表示装置用バックライト装置。
【請求項５】
前記感知部は金属板から構成される請求項１に記載の液晶表示装置用バックライト装置。
【請求項６】
前記感知部は電気誘導現象を利用して前記電気信号を感知する請求項１に記載の液晶表示装置用バックライト装置。
【請求項７】
前記感知部の数は前記ランプの数と同一である請求項１に記載の液晶表示装置用バックライト装置。
【請求項８】
反射板と、
前記反射板の表面から所定距離隔てて配列された複数のランプと、
前記反射板の一面に前記各ランプと対応するように備えられている複数の感知部と、
前記ランプに交流電源が印加される時、前記各感知部に誘起される電気信号を受信して、特定極性の成分を通過させる複数の整流部と、
前記各整流部の出力信号を直流電圧に変換する複数の平滑部、そして
前記平滑部から出力される直流電圧に対して論理積演算を行い、これに基づいて前記ランプに供給される電源を遮断するための出力を生成する論理積素子、
を含む液晶表示装置用バックライト装置。
【請求項９】
前記ランプの点灯及び消灯を制御する調光信号に基づいて、前記調光信号の消灯期間中は前記論理積素子の出力により電源供給が遮断されないように制御する調光エラー遮断部をさらに含む請求項８に記載の液晶表示装置用バックライト装置。
【請求項１０】
前記ランプは、外部に電極が設けられた構造を有する外部電極蛍光ランプである請求項８または請求項９に記載の液晶表示装置用バックライト装置。
【請求項１１】
前記各ランプの両端には、交流の電圧が印加される請求項８または請求項９に記載の液晶表示装置用バックライト装置。
【請求項１２】
前記整流部は、対応する感知部に誘起される電圧信号の特定極性成分を通過させる第１ダイオードと、
前記対応する金属板に誘起される電圧信号の他極性成分を遮断する第２ダイオード、そして
前記第１ダイオードに連結され、電流経路を形成する抵抗を含む請求項８または請求項９に記載の液晶表示装置用バックライト装置。
【請求項１３】
前記平滑部は、直列連結された抵抗とキャパシターから構成され、前記キャパシターに充電された電圧を前記論理積素子の入力に提供する請求項８または請求項９に記載の液晶表示装置用バックライト装置。
【請求項１４】
前記調光エラー遮断部は、前記調光信号をベースを通じて受信し、エミッタを通じて電源電圧の印加を受け、コレクターの信号を前記論理積素子の出力の代りに提供するためのトランジスタから構成される請求項９に記載の液晶表示装置用バックライト装置。
【請求項１５】
前記ランプの初期点灯期間中に、前記論理積素子の出力により電源供給が遮断されないように初期点灯信号を所定時間遅延させる時定数設定部をさらに含む請求項８または請求項９に記載の液晶表示装置用バックライト装置。
【請求項１６】
前記時定数設定部は、並列連結された抵抗とキャパシターから構成される請求項１５に記載の液晶表示装置用バックライト装置。
【請求項１７】
前記感知部は、前記反射板の一側表面に備えられた金属板から構成される請求項８または請求項９に記載の液晶表示装置用バックライト装置。
【発明の詳細な説明】
【技術分野】
【０００１】
本発明は液晶表示装置用バックライト装置に関する。
【背景技術】
【０００２】
コンピュータモニターやＴＶなどに用いられる表示装置には、自ら発光する発光ダイオード（ＬＥＤ）、エレクトロルミネセンス（ＥＬ）、真空蛍光表示装置（ＶＦＤ）、電界発光素子（ＦＥＤ）、プラズマ表示装置（ＰＤＰ）などの他に、自ら発光できないため光源を必要とする液晶表示装置（ＬＣＤ）などがある。
【０００３】
一般的な液晶表示装置は、電界生成電極が備えられた二つの表示板とその間に入っている誘電率異方性を有する液晶層を含む。電界生成電極に電圧を印加して液晶層に電場を生成し、電圧を変化させて前記電場の強さを調節する。これにより、液晶層を通過する光の透過率を調節して所望の画像を得る。
【０００４】
この時の光は、ランプなど別途備えられた人工光源であっても良く、自然光であっても良い。別途に備えられた光源を使用する場合、インバータを利用して光源の点灯時間と消灯時間の比を調節したり、光源に流れる電流を調節することにより画面全体の明るさを調節する。このように、液晶表示装置の後面で光を供給する装置をバックライト装置という。
【０００５】
大型液晶表示装置の場合、均一な輝度を得るために多数のランプを必要とするが、製造コスト削減のために複数のランプを一つの駆動回路、例えばインバータにより駆動する構造が提案されている。しかし、複数のランプのいずれかが装着不良になったり、点灯不良が発生した場合、このような異常状態を検出できるような機能が存在しない。特に、複数のランプのいずれか一つでも装着不良になると、ランプの端子接触部位でアーク（放電による高温ガス）が発生して火災を生じる危険がある。なお、前記の端子接触部位は、外部電極型放電ランプを用いる場合には、電極接触部位と読み替える。
【発明の開示】
【発明が解決しようとする課題】
【０００６】
本発明は、上記従来技術の問題点を克服するためになされたもので、ランプの異常点灯状態を検出できる機能を有する液晶表示装置用バックライト装置を提供することを目的としている。
【課題を解決するための手段】
【０００７】
本発明の一実施例による液晶表示装置用バックライト装置は、反射板と、前記反射板の表面から所定距離隔てて配列された複数のランプ、そして前記ランプから離れた所で、前記ランプに流れる電気信号を感知する複数の感知部を含む。
【０００８】
前記ランプは、外部に電極が設けられた構造を有する外部電極蛍光ランプであることができ、前記各ランプの両端には交流の電圧を印加できる。前記各ランプは互いに並列に連結されることが好ましく、各ランプの両端には交流電圧を印加できる。
【０００９】
前記感知部は金属板であると、電気誘導現象を利用して前記電気信号を感知することができる。前記感知部の数は前記ランプの数と同一であることが好ましい。
【００１０】
本発明の他の実施例による液晶表示装置用バックライト装置は、反射板と、前記反射板の表面から所定距離隔てて配列された複数のランプと、前記反射板の一面に前記各ランプに対応するように備えられている複数の感知部と、前記ランプに交流電源が印加される時、前記各感知部に誘起される電気信号を受信して特定極性の成分を通過させる複数の整流部と、前記各整流部の出力信号を直流電圧に変換する複数の平滑部、そして前記平滑部から出力される直流電圧に対して論理積演算を行い、これに基づいて前記ランプに供給される電源を遮断するための出力を生成する論理積素子を含む。
【００１１】
前記バックライト装置は、前記ランプの点灯/消灯を制御する調光信号に基づいて、前記調光信号の消灯期間中は、前記論理積素子の出力により電源供給が遮断されないように制御する調光エラー遮断部をさらに含むことが好ましい。
【００１２】
前記ランプは、外部に電極が設けられた構造を有する外部電極蛍光ランプであると、前記各ランプの両端には交流の電圧を印加できる。
【００１３】
前記整流部は、対応する感知部に誘起される電圧信号の特定極性成分を通過させる第１ダイオードと、前記対応する金属板に誘起される電圧信号の他極性成分を遮断する第２ダイオード、そして前記第１ダイオードに連結されて電流経路を形成する抵抗を含む。
【００１４】
前記平滑部は、直列連結された抵抗とキャパシターから構成され、前記キャパシターに充電された電圧を前記論理積素子の入力として提供する。
【００１５】
前記調光エラー遮断部は、前記調光信号をベースを通じて受信し、エミッターを通じて電源電圧の印加を受け、コレクターの信号を前記論理積素子出力の代りに提供するためのトランジスタから構成される。
【００１６】
前記バックライト装置は、前記ランプの初期点灯時間の間に、前記論理積素子の出力により電源供給が遮断されないように初期点灯信号を所定時間の間遅延させる時定数設定部をさらに含む。前記時定数設定部は並列連結された抵抗とキャパシターから構成される。
【００１７】
前記感知部は、前記反射板の一方の面に備えられた金属板から構成される。
【発明の効果】
【００１８】
前記のように構成される本発明によるバックライトアセンブリでは、複数のランプが交流電源により駆動される場合、各ランプに設置された金属板を通じて誘起された電圧を検出して、ランプが正常点灯しているか否かを判断することができる。従って、ランプが正常に装着されなかったり、点灯途中でランプに異常が発生した時に、バックライトアセンブリへの電源供給を遮断して、ランプ電極部位のアーク発生の可能性と製品の組み立て時の不良発生の可能性を顕著に減少させることができる。
【発明を実施するための最良の形態】
【００１９】
添付した図面を参照して本発明の実施例に対して本発明の属する技術分野における通常の知識を有する者が容易に実施できるように詳細に説明する。しかし、本発明は多様な形態で実現することができ、ここで説明する実施例に限定されない。
【００２０】
図面は、各種の層及び領域を明確に表現するために厚さを拡大して示している。明細書全体を通じて類似した部分については同一図面符号を付けている。層、膜、領域、板などの部分が他の部分の“上に”あるとする時、これは他の部分の“すぐ上に”ある場合に限らず、その中間に更に他の部分がある場合も含む。逆に、ある部分が他の部分の“すぐ上に”あるとする時は、中間に他の部分がないことを意味する。
【００２１】
本発明の実施例による液晶表示装置用バックライト装置に対して図面を参照して詳細に説明する。まず、本発明の一実施例による液晶表示装置に対して図１を参照して詳細に説明する。
【００２２】
図１は本発明の一実施例による液晶表示装置を概略的に示した分解斜視図である。
【００２３】
図１に示したように、本発明の一実施例による液晶表示装置９００を構造的に見れば、表示部７１０とバックライト部７２０を含む液晶モジュール７００と、液晶モジュール７００を受納して固定する前面及び後面ケース８１０、８２０と、シャーシ７４０及びモールドフレーム７３０を含む。
【００２４】
表示部７１０は、液晶表示板組立体７１２とこれに付着されたゲートテープキャリアパッケージ（ゲートＴＣＰ）７１８及びデータテープキャリアパッケージ（データＴＣＰ）７１６、そして該当テープキャリアパッケージ（ＴＣＰ）７１８、７１６に付着されているゲート印刷回路基板（ゲートＰＣＢ）７１９及びデータＰＣＢ７１４を含む。
【００２５】
液晶表示板組立体７１２は、図１に示したように構造的に見れば、下部表示板７１２ａ及び上部表示板７１２ｂとその間に入っている液晶層（図示せず）を含む。等価回路から見れば、複数の表示信号線（図示せず）とこれに連結された大略行列状に配列された複数の画素を含む。
【００２６】
表示信号線は、下部表示板７１２ａに備えられており、ゲート信号（“走査信号”ともいう。）を伝達する複数のゲート線（図示せず）とデータ信号を伝達するデータ線（図示せず）を含む。ゲート線は、大略行方向に延びて互いにほぼ平行であり、データ線は大略列方向に延びて互いにほぼ平行である。
【００２７】
各画素は、表示信号線に連結されたスイッチング素子（図示せず）と、これに連結された液晶蓄電器（図示せず）及び維持蓄電器（図示せず）を含む。維持蓄電器は必要によって省略できる。
【００２８】
スイッチング素子は、下部表示板７１２ａに備えられ、薄膜トランジスタなどの三端子素子であって、その制御端子及び入力端子は各々ゲート線及びデータ線に連結されている。出力端子は液晶蓄電器及び維持蓄電器に連結されている。
【００２９】
液晶蓄電器は、下部表示板７１２ａの画素電極（図示せず）と上部表示板７１２ｂの共通電極（図示せず）を二つの端子とし、両電極間の液晶層は誘電体として機能する。画素電極はスイッチング素子に連結されて、ＩＴＯやＩＺＯなどの透明導電物質または反射性導電物質から構成される。共通電極は上部表示板７１２ｂの全面に形成されており、ＩＴＯまたはＩＺＯなどの透明導電物質から構成され、共通電圧の印加を受ける。共通電極が下部表示板７１２ａに備えられる場合もあり、この時には二つの電極が全て線形または棒形で作られる。
【００３０】
液晶蓄電器の補助的役割をする維持蓄電器は、下部表示板７１２ａに備えられた別個の信号線（図示せず）と画素電極が絶縁体を介在させて重なるように構成される。この別個の信号線には共通電圧Ｖｃｏｍなどの所定電圧が印加される。一方、維持蓄電器は画素電極が絶縁体を介在させ、図面において隣接して描かれた前段ゲート線と重なるように構成することもできる。
【００３１】
一方、色表示を実現するためには各画素が色相を表出できなければならないが、画素電極に対応する領域に赤色、緑色、または青色の色フィルター２３０を備えることによって可能となる。色フィルター２３０は上部表示板７１２ｂの該当領域に形成できるが、下部表示板７１２ａの画素電極の上または下に形成することもできる。
【００３２】
バックライト部７２０は、液晶表示板組立体７１２の下部に順次設けられた複数の光学シート７２６、導光板７２４、複数のランプ７２５と反射板７２８を含み、反射板７２８はランプ７２５から後方（下方）に放射される光を組立体７１２側に反射させる。
【００３３】
導光板７２４の厚さは均一にし、ランプ７２５の数は液晶表示装置９００の機能を考慮して定める。ランプ７２５としては、冷陰極管ＣＣＦＬ、外部電極管ＥＥＦＬなどの蛍光ランプを使用する。しかし、発光ダイオード（ＬＥＤ）などもランプとして使用できる。
【００３４】
液晶表示板組立体７１２の二つの表示板７１２ａ、７１２ｂの外側には、ランプ７２５から出る光のうち特定偏波面の光を通過させる偏光子または遮断する偏光子（いずれも図示せず）が各々配置されている。
【００３５】
ＴＣＰ７１６、７１８は可撓性印刷回路膜の一種で、液晶表示板組立体７１２の側面に各々付着されている。データＴＣＰ７１６には、液晶表示板組立体７１２のデータ線に連結されて、データ電圧を印加するデータ駆動ＩＣチップが装着されている。そして、ゲートＴＣＰ７１８には、液晶表示板組立体７１２のゲート線に連結されて、ゲートオン電圧とゲートオフ電圧の組み合わせからなるゲート信号を印加するゲート駆動ＩＣチップが装着されている。
【００３６】
印刷回路基板７１４、７１９は、ＴＣＰ７１６、７１８に各々接続され、外部から映像信号及びこれを制御するための入力制御信号を受けて映像信号を処理し、映像信号を制御するための出力制御信号を生成してＴＣＰ７１６、７１８の駆動ＩＣに提供する回路要素を備えている。
【００３７】
本発明の他の実施例によれば、ゲート駆動回路及び/またはデータ駆動回路は、ＩＣチップの形態で下部表示板７１２ａ上に取り付けられており、他の実施例によれば、下部表示板７１２ａに他の素子と一緒に集積される。この二つの場合に、ゲートＰＣＢ７１９及び/またはゲートテープキャリアパッケージ７１８は省略できる。
【００３８】
次に、図２乃至図４を参照して本発明の一実施例による液晶表示装置用バックライトアセンブリについて説明する。
【００３９】
図２は本発明の一実施例による液晶表示装置用バックライトアセンブリの断面図で、図３は図２に示したバックライトアセンブリの正面図である。
【００４０】
図２及び図３を参照すれば、本発明の一実施例による液晶表示装置用バックライトアセンブリは、反射板２と、前記反射板２の表面から離れて互いに平行に配列された複数のランプ１、そして反射板２の背面に備えられた複数の金属板３を含む。この金属板３が、後述するようにランプ１に流れる電圧の電気信号を感知する。金属板３の数はランプ１の数と同一であり、各金属板３は対応するランプ１と各々対向している。ランプ１の各々とこれに対応する金属板３は、図２に示したように、距離（ｄ）を隔てて互いに離れている。
【００４１】
ランプ１の各々は、管壁になるチューブとその外側に備えられた電極から構成されている外部電極型の蛍光ランプである。しかし、ランプ１として冷陰極蛍光ランプのような別の種類のランプを使う場合もある。
【００４２】
本実施例によるバックライトアセンブリにおいては、ランプの両端に交流の電圧を印加するための電源の基準点電位を固定しないフローティング駆動方式も使用できる。
【００４３】
ランプ１の両端に交流電圧が印加されれば、ランプ１は抵抗として動作して高い電流を流しながら発光を開始する。この時、ランプ１と所定距離（ｄ）離れて位置した金属板３に、ランプ１の両端電圧に比例する大きさの電圧が誘起される。これは、ランプ１と金属板３がキャパシターとして作用するためである。たとえば、ランプ１の異常装着や切断等の理由でランプ１が正常に動作しない場合は、金属板３に電圧が誘起されなかったり、隣接するランプ１の影響で非常に低い電圧が誘起される。従って、金属板３に誘起される電圧の大きさを測定することによりランプ１が正常に動作しているか否かが分かる。
【００４４】
図２及び図３に示したバックライトアセンブリの金属板に誘起される電圧の大きさの測定について図４を参照して詳細に説明する。
【００４５】
図４は、図２及び図３に示したバックライトアセンブリにおいて、金属板に誘起される電圧を検出するための実験を説明するためのものである。
【００４６】
図４に示したように、ランプ１の両端に交流電源Ｖｓを印加し、ランプ１から所定距離隔てた位置に金属板３を設置して電圧計Ｍを連結した。ランプ１に交流電圧Ｖｓが印加されて、ランプ１が正常に動作する場合は、電圧計Ｍで測定した金属板３の電圧はランプ１の両端電圧に比例する。ランプ１を含む全てのランプに供給される電源を遮断した結果、電圧計Ｍにより測定した電圧の大きさは０であった。一つのランプ１の電源供給のみを遮断し、他のランプには正常に電源を供給した結果、測定された金属板３の電圧は非常に小さかった。従って、ランプ１の消灯状態、未装着、切断などの理由でランプ１に電流が流れない場合には、金属板３に全く電圧が誘起されなかったり、他のランプとの寄生容量により極めて低い電圧が誘起されることが分かる。
【００４７】
以下、図５、図６ａ及び図６ｂを参照して本発明の他の実施例による液晶表示装置用バックライト装置について説明する。
【００４８】
図５は本発明の他の実施例による液晶表示装置用バックライト装置回路図で、図６ａ及び図６ｂは各々図５に示したバックライト装置におけるランプの正常点灯と異常点灯の時の信号波形図である。
【００４９】
図５に示したように、本発明の他の実施例による液晶表示装置用バックライト装置は、交流電圧ＶＨ、ＶＬが供給される変圧器Ｔと、変圧器Ｔに対して並列に連結された複数のランプ１と、各ランプ１から所定距離隔てて配列された金属板３と、対応する金属板３に連結されている複数の整流部４と、対応する整流部４に連結されている複数の平滑部５と、各平滑部５に連結されている論理積素子６と、調光エラー遮断部７、そして調光エラー遮断部７に連結されている時定数設定部８を含む。金属板３の数はランプ１の数と同一である。
【００５０】
交流電圧ＶＨ、ＶＬが変圧器Ｔを通じて各ランプ１の両端に印加されると、各ランプ１は点灯を開始し、図６ａ及び図６ｂに示したように、各金属板３には対応するランプ１に印加される交流電圧に比例する大きさの交流電圧が誘起される。
【００５１】
図６ａ及び図６ｂに示したように、整流部４は、金属板３からの信号を半波整流させる。平滑部５は、整流部４から出力される半波整流された信号から脈動成分を取り除き、安定した直流信号に変換させる。
【００５２】
図５に示すように、整流部４は、金属板３から逆方向に連結されたダイオードＤ１と金属板３から順方向に連結されているダイオードＤ２、そしてダイオードＤ２と連結されて電流経路を構成する抵抗Ｒ１を含む。ダイオードＤ１は金属板３から出力される信号の負極性成分を接地し、金属板３の平均レベルを正電圧にする（クランプ作用）。これに対し、ダイオードＤ２は金属板３から出力される信号の正極性成分を通過させる。これにより、整流部４は金属板３に誘起された電圧信号のうち正極性成分のみを通過させ倍電圧整流を行う。
【００５３】
平滑部５は、ダイオードＤ２と抵抗Ｒ１との間のノードを通じて整流部４から出力された整流信号の提供を受ける。
【００５４】
平滑部５は、直列連結された抵抗Ｒ２及びキャパシターＣ１から構成される。金属板３からの電圧信号の正極性成分は、ダイオードＤ２を通過し、抵抗Ｒ１からなる経路と、平滑部５の抵抗Ｒ２及びキャパシターＣ１からなる経路の２経路を通過する。正極性の電圧信号はキャパシターＣ１に充電されて、直流出力電圧ＯＵＴ１に変換される。抵抗Ｒ２の抵抗値とキャパシターＣ１の静電容量を適切に選択することにより、図６ａに示したように、ランプ１が正常に点灯された状態で出力電圧ＯＵＴ１が約３．５Ｖ〜５Ｖとなるようにすることができる。
【００５５】
ランプ１の点灯状態は三つに分けられる。正常な短時間点灯状態、正常な短時間消灯状態、異常状態がそれである。ランプ１の点灯駆動は、DIM信号のオン／オフデューティ比の調整により、所望の平均輝度になるように、周期的に短時間の点灯及び消灯を繰り返させるパルス幅変調の調光制御により行われる。このため、金属板３に生起する交流波形の包絡線が、DIM信号のオン／オフデューティ波形に対応する。
【００５６】
ランプ１が長時間消灯の状態であるか、異常状態の場合には、出力電圧ＯＵＴ１が０に近い値、或は少しの漏れ電流により図６ｂに示したように、１．２Ｖ以下の小さい値を有する。従って、ランプ１が正常に点灯しているか否かを平滑部５の出力電圧ＯＵＴ１に基づいて判断することができる。
【００５７】
各ランプ１に対して備えられている平滑部５の出力電圧ＯＵＴ１〜ＯＵＴ４は、論理積素子６に提供される。ここで、ＯＵＴ２〜４は、ＯＵＴ１と同様に変圧器Ｔ、ランプ１、金属板３、整流部４及び平滑部５から構成されている。論理積素子６は複数の入力信号に対して論理積演算を行い、その演算出力をシャット-ダウン信号として出力抵抗Ｒ３を経てシャット-ダウン端子（ＳＤＯＷＮ）に提供する。論理積素子６のしきい電圧は２．５Ｖに設定され、図６ａに示したように、入力信号全てが２．５Ｖ以上であればハイレベルの出力を生成し、図６ｂに示したように、入力信号の一つでも２．５Ｖ未満であればローレベルの出力を生成する。従って、複数のランプ１のいずれかが正常な点灯状態でない場合には、論理積素子６の出力がローレベルになり、ローレベルのシャット-ダウン信号が各ランプ１の電源を遮断させる。
【００５８】
ところが、ランプ１が正常な短時間消灯状態である場合には、ランプ１への電源供給を遮断してはいけない。これは、ランプ１が正常な短時間消灯の状態では、シャット-ダウン信号をハイレベルにするためである。従って、図５の時定数設定部８は、DIM信号の点灯／消灯周期に比して十分に長い時定数を有することが望ましい。これは、後述の図７についても同様である。
【００５９】
図５に示された調光エラー遮断部７は、ランプ１が正常な短時間消灯状態である場合に、点灯期間と消灯期間を有するパルス幅変調調光信号（ＤＩＭ）により、ハイレベル信号をシャット-ダウン信号としてシャット-ダウン端子（ＳＤＯＷＮ）に提供する。正常に動作するランプ１であれば、パルス幅変調調光信号（ＤＩＭ）の点灯期間では点灯され、消灯期間では消灯される。具体的には、調光エラー遮断部７は、パルス幅変調調光信号（ＤＩＭ）の消灯期間でハイレベルの信号を出力する。
【００６０】
調光エラー遮断部７はトランジスタＱと入力抵抗Ｒ４を含む。トランジスタＱは、ｐｎｐバイポーラトランジスタであって、電源電圧ＶＣＣに連結されているエミッタ、入力抵抗Ｒ４に連結されているベース、そして出力抵抗Ｒ６を通じてシャット-ダウン端子（ＳＤＯＷＮ）に連結されているコレクターを含む。
【００６１】
パルス幅変調調光信号（ＤＩＭ）は、入力抵抗Ｒ４を通じてトランジスタＱのベースに入力される。パルス幅変調調光信号（ＤＩＭ）の点灯期間では、トランジスタＱが遮断される。この場合には、論理積素子６の出力がシャット-ダウン端子（ＳＤＯＷＮ）に提供される。これに対し、パルス幅変調調光信号（ＤＩＭ）の消灯期間では、トランジスタＱが導通して、ハイレベルの電源電圧ＶＣＣがシャット-ダウン端子（ＳＤＯＷＮ）に提供される。この場合、論理積素子６の出力は無視される。結果的に、ランプ１の正常な消灯状態では、調光エラー遮断部７により強制的にハイレベルの信号がシャット-ダウン信号として提供させる。
【００６２】
一方、ランプ１が初期点灯を開始して正常な点灯状態になるまでの所定時間が必要である。従って、ランプ１が正常な点灯状態ではない初期点灯の時には、強制的にシャット-ダウン信号をハイレベルに設定する必要がある。
【００６３】
図５の時定数設定部８は、バックライト装置に対する初期点灯信号（ＢＬ_ＯＮ）をランプ１の初期点灯時間の間遅延させる機能をし、並列連結されたキャパシターＣ２と抵抗Ｒ５から構成される。ここで、キャパシターＣ２の静電容量と抵抗Ｒ５の抵抗値は、時定数が約０．３秒乃至１秒になるように設定される。結果的に、時定数設定部８により、ランプ２の初期点灯時間の間にはハイレベル信号がシャット-ダウン信号として提供される。
【００６４】
次に、図７を参照して本発明の他の実施例による液晶表示装置用バックライト装置について詳細に説明する。図７は本発明の他の実施例による液晶表示装置用バックライト装置回路図である。
【００６５】
本発明の他の実施例によるバックライト装置は、金属板に誘起された電圧を直接検出して、ランプの異常状態を判断することを技術的特徴とする。
【００６６】
本実施例によるバックライト装置は、変圧器Ｔ、複数のランプ１、複数の金属板３、複数の整流部４１、複数の平滑部５１、論理積素子６、調光エラー遮断部７、そして時定数設定部８を含み、各構成要素の細部構成は、整流部４１と平滑部５１を除けば図５に示したバックライト装置と類似している。
【００６７】
整流部４１は、金属板３から平滑部５１側に順方向に連結されているダイオードＤ２から構成される。平滑部５１は直列連結された抵抗Ｒ２及びキャパシターＣ１から構成される。
【００６８】
金属板３に誘起された電圧信号のうち正極性の成分は、ダイオード２を通過してキャパシターＣ１に充電され、抵抗Ｒ２及びキャパシタＣ１によって望ましい時定数で放電する。従って、キャパシターＣ１の出力電圧ＯＵＴ１は、誘起された電圧の正極性成分に対する平均的直流レベルを示し、論理積素子６の入力として提供される。論理積素子６は、金属板３に連結された複数の平滑部５１からの入力に対して論理積演算を行って出力を生成し、シャット-ダウン信号として提供する。
【００６９】
以上、本発明の好ましい実施例について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００７０】
【図１】本発明が適用される液晶表示装置を立体的に分解して示したものである。
【図２】本発明の一実施例による液晶表示装置用バックライトアセンブリの断面図である。
【図３】図１に示したバックライトアセンブリの正面図である。
【図４】図２及び図３に示したバックライトアセンブリにおいて、金属板に誘起される電圧を検出するための実験を説明するためのものである。
【図５】本発明の他の実施例による液晶表示装置用バックライト装置回路図である。
【図６ａ】図５の液晶表示装置用バックライト装置におけるランプの正常点灯時の信号波形を示したものである。
【図６ｂ】各々図５の液晶表示装置用バックライト装置におけるランプの異常点灯時の信号波形を示したものである。
【図７】本発明の他の実施例による液晶表示装置用バックライト装置回路図である。
【符号の説明】
【００７１】
１  ランプ
２  反射板
３  金属板
４、４１  整流部
５、５１  平滑部
６  論理積素子
７  調光エラー遮断部
８  時定数設定部
７００  液晶モジュール
７１０  表示部
７１２  液晶表示板組立体
７１２ａ、７１２ｂ  表示板
７１６、７１８  テープキャリアパッケージ
７１４、７１９  ＰＣＢ
７２０  バックライト部
７２５  ランプ
７２４  導光板
７２６  光学シート
７２８  反射板
７３０  モールドフレーム
７４０  シャーシ
８１０、８２０ケース
【図１】
2004191975.tif 000003
【図２】
2004191975.tif 000004
【図３】
2004191975.tif 000005
【図４】
2004191975.tif 000006
【図５】
2004191975.tif 000007
【図６ａ】
2004191975.tif 000008
【図６ｂ】
2004191975.tif 000009
【図７】
2004191975.tif 000010